(57)【要約】【課題】どのような線径の電線であっても床基盤から浮くことなく配線できて、床板又は床基盤に設けられた支持脚による各種電線の挟圧を確実に回避できるようにする。【解決手段】床基盤Ｇに四角形状のシート１を配設し、該シート１の角部に、各種電線Ｋを覆うための被覆片５の直立部２を立設し、該直立部２の上端部から、水平方向に且つ互いに近接するように延出して水平部３を形成し、さらに、該各水平部３によって、シート１と略同一形状の上壁７を形成する。そして、各水平部３の隙間９から各種電線Ｋを押し込んで、室内に設置される電子及び電気機器の配線作業を行う。【選択図】図１
2010093870.tif 000002
【特許請求の範囲】
【請求項１】
基端部が、床基盤（Ｇ）又は該床基盤（Ｇ）に配されるシート（１）に固設されると共に、先端部が、床基盤（Ｇ）から離間した状態で、床基盤（Ｇ）又はシート（１）に配線される各種電線（Ｋ）の適当箇所を覆う被覆片（５）を、床基盤（Ｇ）又はシート（１）に所定の間隔をおいて配設することを特徴とする配線部材。
【請求項２】
前記被覆片（５）は、交互に又は対向するように並設されることを特徴とする請求項１に記載の配線部材。
【請求項３】
前記被覆片（５）は、基端部側に形成される直立部（２）と、先端部側に形成される水平部（３）とで構成されることを特徴とする請求項１又は２に記載の配線部材。
【請求項４】
前記シート（１）は、円形又は非円形に形成され、前記被覆片（５）は、前記シート（１）の外周部又は角部に直立部（２）が、互いに離間して立設されると共に、水平部（３）が互いに近接するように配設され、さらに、該各水平部（３）によって、シート（１）と平面視にて略同一形状の上壁（７）が形成されることを特徴とする請求項１乃至３のいずれか１項に記載の配線部材。
【請求項５】
複数の台錐状の支柱（２５）を、床基盤（Ｇ）又は該床基盤（Ｇ）に配されるシート（２０）に固設すると共に、床基盤（Ｇ）又はシート（２０）に配線される各種電線（Ｋ）の周面に圧接するように所定の間隔をおいて配設することを特徴とする配線部材。
【発明の詳細な説明】
【技術分野】
【０００１】
本発明は、床基盤又は床基盤に配されるシートに配置され、室内に設置される電子及び電気機器に配線するための配線部材に関する。
【背景技術】
【０００２】
従来より、室内に多くの電子及び電気機器が設置される現況にあっては、該各機器の配線を、床下内部に空間を形成して行うことが一般的になっている。該床下内部の空間は、例えば角部に支持脚が垂設された平面視四角形状の床板を、床基盤上に敷設することで形成されている。
【０００３】
そして、各種電線を配線、即ち床下の内部空間において直線状に引き延ばしたり、折り曲げたりして所望する上記機器に接続した後、床基盤上に床板を敷設する。この際、上述した床板の支持脚の近傍に配線された各種電線が、床板の下面に垂設された支持脚によって挟圧されてしまう場合があり、断線する等の不都合が生じていた。
【０００４】
この不都合を解消すべく、床板の各支持脚が嵌合するように、換言すれば各支持脚による挟圧を回避するように、その四隅が切欠されて平面視十字形状に形成された基板と、該基板の上壁全体に等間隔に立設される複数の柱状突起とを備えたものが公知になっている（特許文献１）。
【特許文献１】特開平１１−１３１７７０号公報
【発明の開示】
【発明が解決しようとする課題】
【０００５】
しかしながら、従来の上記配線部材においては、基板の各柱状突起間に、各柱状突起間の距離よりも小径の各種電線が配線された場合、各柱状突起と各種電線との間に隙間があるため、この各種電線を、各柱状突起間において直線状に引き延ばしたり、折り曲げたりしても、電線自体が各柱状突起によって拘束されることはなく、床基盤から浮いてしまうことになる。そして、浮いた状態の上記電線が、床板の支持脚の近傍に位置した場合は、上述した支持脚による挟圧を回避できないという問題がある。なお、ここでいう支持脚は、床板の下面に垂設されたものに限らず、床基盤に立設される場合もあるが、この場合も同様の問題が生じる。
【０００６】
そこで、本発明は、上記問題点を鑑み、どのような線径の電線であっても床基盤から浮くことなく配線できて、床板又は床基盤に設けられた各支持脚による各種電線の挟圧を確実に回避できる配線部材を提供することを目的とする。
【課題を解決するための手段】
【０００７】
前記課題を解決するために、本願発明に係る配線部材は、その基端部が、床基盤Ｇ又は該床基盤Ｇに配されるシート１に固設されると共に、先端部が床基盤Ｇから離間した状態で、床基盤Ｇ又はシート１に配線される各種電線Ｋの適当箇所を覆う被覆片５を、床基盤Ｇ又はシート１に所定の間隔をおいて配設することを特徴とする。
【０００８】
この場合、床基盤Ｇ又は該床基盤Ｇに配されるシート１に、先端部が床基盤Ｇ又はシート１から離間した複数の被覆片５を立設するようにしたので、被覆片５の先端部と床基盤Ｇ又はシート１との隙間から各種電線Ｋを容易に挿入できるようになり、配線作業の効率化が図れる。また、被覆片５と床基盤Ｇ又はシート１の空間に各種電線Ｋが収容されることで、各種電線Ｋの浮き状態がなくなり、床板Ｙ又は床基盤Ｇに設けられた支持脚Ｒによる圧接が回避されると共に、各種電線Ｋを外圧から保護できるようにもなる。
【０００９】
また、本発明によれば、前記被覆片５を、交互に又は対向するように並設するような構成を採用することもできる。
【００１０】
この場合、各種電線Ｋを、被覆片５によって両側から覆うことができるので、被覆片５から各種電線Ｋが抜け出ることがなく、より確実に各種電線Ｋを固定できる。なお、被覆片５を交互に並設するとは、二つの被覆片５，５をずらして配置する場合、及び二つ以上の被覆片５，…をそれぞれずらして配置する場合のいずれも含むものとする。
【００１１】
また、本発明によれば、前記被覆片５を、基端部側に形成される直立部２と、先端部側に形成される水平部３とで構成するような構成を採用することもできる。
【００１２】
この場合、配線される各種電線Ｋの本数に応じて、被覆片５の直立部２の高さや水平部３の長さを変更すればよく、容易に対応できるようになる。
【００１３】
また、本発明によれば、前記シート１を、円形又は非円形に形成し、前記被覆片５を、前記シート１の外周部又は角部に直立部２を互いに離間して立設すると共に、水平部３を互いに近接するように配設し、さらに、該各水平部３によって、シート１と平面視にて略同一形状の上壁７を形成するような構成を採用することもできる。
【００１４】
この場合、シート１が配置される位置によって各種電線Ｋの配線ルートが構築される一方、被覆片５をシート１の外周部又は角部に互いに離間して立設することによって、各種電線Ｋが挿通される空間が形成される。しかも、水平部３を互いに近接するように配設することで、各水平部３の隙間９から内部空間へ各種電線Ｋを押し込むことができる。さらに、各水平部３によってシート１と略同一形状の上壁７が形成されることから、内部空間から各種電線Ｋが抜け出ることはなく、配線される各種電線Ｋが隠れることにもなり、外観上の見栄えもよくなる。また、内部空間に収容された各種電線Ｋは、各水平部３が近接することにより形成された上壁７で保護されるようになるので、床板又は床基盤に設けられた支持脚によって挟圧されることはない。仮に、床板の支持脚が各種電線Ｋを挟圧しても、上壁７が緩衝部材となるので、各種電線Ｋは保護される。また、各種電線Ｋを各水平部３の隙間９から押し込むだけなので、どのような線径の電線Ｋであっても配線作業が容易に行えるようになる。
【００１５】
また、本願第二発明に係る配線部材によれば、複数の台錐状の支柱２５を、床基盤Ｇ又は該床基盤Ｇに配されるシート２０に固設すると共に、床基盤Ｇ又はシート２０に配線される各種電線Ｋの周面に圧接するように所定の間隔をおいて配設することを特徴とする。
【００１６】
この場合、基端部から先端部に向かうにしたがって間隔が大きい支柱２５が複数立設されるので、径の異なる各種電線Ｋであっても、各種電線Ｋの周面が支柱２５の外周面に圧接されるようになり、床基盤Ｇから各種電線Ｋが浮くことなく、床板又は床基盤に設けられた支持脚に挟圧されることが防止されると共に、配線作業が容易に行える。
【発明の効果】
【００１７】
以上のように、本発明によれば、先端部が床基盤から離間した被覆片によって、床基盤又はシートに配線される各種電線の適当箇所を覆うようにしたので、床基盤又はシートと被覆片の先端部との隙間から各種電線を押し込むだけで、内部空間に容易に各種電線を通すことができる。つまり、径の異なる各種電線の配線作業の効率化が図れると共に、床板又は床基盤に設けられた支持脚による各種電線の挟圧を回避できる効果がある。
【００１８】
また、本発明によれば、各種電線の周面に圧接するように、台錐状の支柱を複数立設するようにしても、前記と同様の効果が得られる。
【発明を実施するための最良の形態】
【００１９】
以下、本発明の実施形態に係る配線部材について、図１〜図１１を参照しつつ説明する。
（実施形態１）
まず、本実施形態１の配線部材について、図１〜図３を参照して説明する。なお、床基盤Ｇとしては、予め床基盤Ｇに等間隔に複数の支持脚Ｒ，…が立設されたもの、又は、床板Ｙの下面に支持脚が垂設されたものがあるが、本実施形態１においては、床基盤Ｇに複数の支持脚Ｒ，…が立設されたものを例に取って説明する（図２参照）。
【００２０】
実施形態１に係る配線部材Ａは、図１に示すように、ゴム製、或いは可撓性を有する合成樹脂の材料によって作製された平面視正方形状のシート（基板）１と、該シート１の角部にそれぞれ立設された直立部２、及び該直立部２の上端部から、水平方向に且つ互いに近接するように延出して形成される水平部３を有する被覆片５とで構成されている。そして、シート１、被覆片５の直立部２及び水平部３によって、中空の柱状体（横長の直方体）が形成されている。また、各水平部３によって、その外形がシート１と略同一形状（正方形）の上壁７を形成しており、該上壁７と直立部２とによって、各側面に矩形状の開口８が形成されると共に、上壁７に十字形状の隙間９が形成される。
【００２１】
配線部材Ａの高さとしては、床基盤Ｇに立設された支持脚Ｒ，…の高さよりも低いものが好ましい。この理由としては、各支持脚Ｒの上端部に床板Ｙが敷設されたとしても、床板Ｙを介して配線部材Ａに直接荷重が係ることがなく、配線部材Ａの内部空間に収容された各種電線Ｋを保護するためである。
【００２２】
配線部材Ａの開口８は、側面視矩形状を呈し、供給側に位置する開口８と負荷側に位置する開口８とが、室内に配置される電子及び電気機器によって想定される。
【００２３】
配線部材Ａの隙間９は、上述したように十字形状を呈している。具体的に説明すると、上壁７において直交する中心線上に沿って形成されている。即ち、各開口８，…の上縁部の中心位置から上壁１ｂの中心を結ぶ線上に沿って形成されている。そして、この隙間９は、配線部材Ａの内部空間に連通しており、各種電線Ｋの外径よりも小さくなるように形成されている。また、各水平部３，…は、直立部２が内側に撓むことによって接近し、外側に反り返ることによって離間する。即ち、各直立部２が外圧によって種々に変形するようになり、各水平部３，…が近接離間することで、各種電線Ｋの配線部材Ａの内部空間への押し込みが可能になる一方、配線部材Ａの内部空間に押し込まれた各種電線Ｋが、床基盤Ｇから浮いたとしても内部空間から外部へ抜け出ることを防止できる。つまり、配線作業の効率化が図れると共に、床基盤Ｇの支持脚Ｒ，…と床板Ｙとによる挟圧の回避が可能になる。
【００２４】
つぎに使用態様について図２を参照して説明する。図２は、便宜上、床基盤Ｇの一部を平面視した図であり、図面の上下左右を、床基盤Ｇの上側、下側、左側、右側とする。また、該床基盤Ｇにおいては、床板Ｙを支持する支持脚Ｒ，…が所定の間隔をおいて３本ずつ前後左右に立設され、各支持脚Ｒ，…を仮想的に結ぶことによって４つの配線領域イ〜ニが形成されているものとする。そして、図示していないが、図２の左側上部に電源供給部が配置され、右側上部に、電子及び電気機器の親機が配置されると共に、左側下部に子機が配置されているものとする。
【００２５】
この状態において、左側下部の配線領域イに、左側の各支持脚Ｒ，…の近傍にそれぞれ配線部材Ａ，…を配置する。そして、左側上部の配線領域ロに、左側の各支持脚Ｒ，…の近傍にそれぞれ配線部材Ａ，…を配置すると共に、右側の各支持脚Ｒ，…に沿うように３つの配線部材Ａ，…を配置する。さらに、右側上部の配線領域ハに、上側の各支持脚Ｒ，…の近傍にそれぞれ配線部材Ａ，…を配置する。
【００２６】
そして、各種電線、例えば電源ケーブルＫを図２の左側（電源側）から右側（親機側）に直線状に配線する。つぎに、各機器を接続する通信ケーブルｋを、右側上部（親機）から左側上部へ直線状に配線した後、該左側上部から左側下部（子機）へ向かって折り曲げて配線する。
【００２７】
具体的に説明すると、電源ケーブルＫを配線する場合は、各配線部材Ａ，…の左側の開口８から電源ケーブルＫを導入して右側の開口８へ導出するように、左右一列に並んだ各配線部材Ａ，…の隙間９に、直線状に引き延ばした電源ケーブルＫを順次押し込むようにし、各配線部材Ａ，…の内部空間に電源ケーブルＫを挿入する。
【００２８】
一方、通信ケーブルｋを配線する場合は、右側上部の配線領域ハに配置された各配線部材Ａ，…の右側の開口８から通信ケーブルｋを導入して左側の開口８へ導出するように、左右一列に並んだ各配線部材Ａ，…の隙間９に、直線状に引き延ばした通信ケーブルｋを順次押し込み、各配線部材Ａ，…の内部空間に通信ケーブルｋを挿入する。
【００２９】
その後、左側上部の配線領域ロに配置された配線部材Ａ，…において、該配線部材Ａ，…の右側の開口８から通信ケーブルｋを導入した後、下側に向かって折り曲げて下側の開口８へ導出するように、該導出方向の隙間９に押し込む。
【００３０】
そして、左側上部の配線領域ロから左側下部の配線領域イにかけての各配線部材Ａ，…において、その上側の開口８から通信ケーブルｋを導入して下側の開口８へ導出するように、前後一列に並んだ各配線部材Ａ，…の切り込み３に、直線状に引き延ばした通信ケーブルｋを押し込み、各配線部材Ａ，…の内部空間に通信ケーブルｋを挿入する。各配線領域イ〜ロの配線が終了した後、親機と子機を接続できるように外部へ導出する。
【００３１】
なお、前記実施形態１の場合、配線部材Ａの高さを、床基盤Ｇの支持脚Ｒ，…の高さよりも低くしたが、各種電線Ｋ，ｋの種類が多くて、且つ支持脚Ｒの高さが比較的大きい場合は、図４に示すように、配線部材Ａの高さも大きくして、数多くの各種電線Ｋ，ｋを収納するようにしてもよい。また、仮に配線部材Ａの高さが、支持脚Ｒ，…の高さよりも高い場合であっても、図５に示すように、配線部材Ａの矩形状の開口８が平行四辺形に変形するだけで、配線部材Ａの内部空間に挿入された各種電線Ｋは保護されるので、床板Ｙと支持脚Ｒとによる圧接を防止できる。
【００３２】
また、前記実施形態１の場合、前後左右に開口８，…が形成された直方体形状の配線部材Ａを例にとって説明したが、図６に示すように、開口８’，…が放射状に形成された外形が円柱状の配線部材Ａ’であってもよく、図７に示すように、曲率の大きい被覆片５０の先端部の下方に、曲率の小さい被覆片５１の先端部が位置するように、曲率の異なる一対の被覆片５０，５１を対向するように配置し、該両被覆片５０，５１の隙間９０から各種電線を挿入し、両側の開口８０から各種電線Ｋを導出するようにした配線部材Ａ”であってもよい。要は、配線部材によって、配線される各種電線Ｋが床基盤Ｇから浮く状態を防止できればよく、仮に各種電線Ｋが床基盤Ｇから浮いたとしても、各種電線Ｋを保護できればよい。例えば断面Ｌ字形状の板材からなる被覆片を単体で備えた配線部材であってもよい。この場合、該被覆片を対向して配置するようにしてもよく、交互に配置するようにしてもよい。交互に配置する場合は、二つの被覆片をずらして配置するようにしてもよく、三つ以上の被覆片をそれぞれずらして配置するようにしてもよい。また、各水平部３，…によって形成される隙間としては、直線状、連続した曲線（波形状）、Ｔ字状、十字状などいずれであってもよい。要は、各種電線を押し込むことができ、且つ内部に収容された各種電線が隙間から外部に抜け出なければよい。
【００３３】
（実施形態２）
つぎに本実施形態２に係る配線部材について、図８〜図１０を参照して説明する。該配線部材Ｂは、図８に示すように、平面視矩形状のシート（基板）２０と、前後左右の側縁部を除くシート２０の上壁に所定の間隔をおいて立設された角錐台状の支柱２５，…とで構成されている。
【００３４】
各の支柱２５，…の基端部の間隔は、図９及び図１０に示すように、細径の各種電線Ｋの直径よりもやや小さく、各支柱２５，…の先端部に向かうにしたがって、大径の各種電線Ｋの周面に圧接できる間隔に設定されている。そして、各支柱２５，…は、可撓性を有し、且つ各種電線Ｋの周面に対して摩擦力が生じる素材が選定されている。
【００３５】
つぎに使用態様について説明する。まず、床基盤Ｇに所定の間隔をおいて配線部材Ｂを配設し、図９及び図１０に示すように、各配線部材Ｂの各支柱２５，…の間に、各種電線Ｋを上方から挿入しつつ、各種電線Ｋを所望する位置に折り曲げたり、直線状に引き延ばしたりして配線作業を行う。そして、挿入された各種電線Ｋは、その外周面が各支柱２５，…の外周面に圧接され、この摩擦抵抗によって、各種電線Ｋの挿入状態が維持されると共に、浮き状態が防止される。
【００３６】
なお、上記実施形態２の場合、シート２０に複数の角錐台状の支柱２５を立設するようにしたが、図１１に示すように、その外周面に、断面が三角形状の環状突起２５１が形成された角錐台状の支柱２５０を、シート２００に立設した配線部材Ｂ’であってもよい。この場合、各種電線Ｋの周面が突起２５１に当接することで、支柱２５０，…の間に係止するようになり、各種電線Ｋが支柱２５０，…の間から離脱しないようにできる。但し、各種電線Ｋに対する突起２５１の係止力は、各種電線Ｋを引き抜いた際、各種電線Ｋの絶縁被覆を損傷することがない程度に引き抜けるように設定されている。
【図面の簡単な説明】
【００３７】
【図１】本発明の実施形態１に係る配線部材を示す斜視図。
【図２】図１の配線部材を床基盤に配置して配線した状態を示す概略平面図。
【図３】電線が配線された状態の配線部材を示す側断面図。
【図４】配線部材の高さよりも、床基盤に立設された支持脚Ｒの高さが大きくて、配線される電線の数が多い場合の実装状態を示す側断面図。
【図５】配線部材の高さが、床基盤に立設された支持脚Ｒの高さよりも小さい場合の実装状態を示す側断面図。
【図６】図１の配線部材の変形例を示す斜視図。
【図７】図１の配線部材の他の変形例を示す斜視図。
【図８】本発明の実施形態２に係る配線部材を示す斜視図。
【図９】図８の配線部材を床基盤に配置して配線した状態を示す概略平面図。
【図１０】電線が配線された状態の配線部材を示す側断面図。
【図１１】図８の配線部材の変形例を示す側断面図。
【符号の説明】
【００３８】
１，１’，２０，２００…シート、２，２’…直立部、３，３’…水平部、５，５’…被覆片、７，７’…上壁、８，８’，８０…開口、９，９’，９０…隙間、２５，２５０…支柱、２５１…突起、イ〜ニ…配線領域、Ａ，Ａ’，Ａ”，Ｂ，Ｂ’…配線部材、Ｇ…床基盤、Ｋ…各種電線（電源ケーブル）、ｋ…各種電線（通信ケーブル）、Ｒ…支持脚、Ｙ…床板
【図１】
2010093870.tif 000003
【図２】
2010093870.tif 000004
【図３】
2010093870.tif 000005
【図４】
2010093870.tif 000006
【図５】
2010093870.tif 000007
【図６】
2010093870.tif 000008
【図７】
2010093870.tif 000009
【図８】
2010093870.tif 000010
【図９】
2010093870.tif 000011
【図１０】
2010093870.tif 000012
【図１１】
2010093870.tif 000013